Podtech/llm-jp-corpus-v4-ja_patent huggingface dataset:
(57)【要約】      （修正有）【課題】金属インナチューブと非金属アウタチューブとを粘着したダブルチューブ生漆容器を提供する。【解決手段】ダブルチューブ生漆容器は、金属から成形されたインナチューブ１と非金属から成形されたアウタチューブ２とを備え、天然の生漆を粘着剤とし、インナチューブとアウタチューブとを一体に粘着し、アウタチューブの外表面には、生漆の塗装があることを特徴とする。それぞれの材料のメリットを十分に発揮し、各自の不足を補う。金属インナチューブで熱い食物を盛っても異臭がなく、非金属アウタチューブは熱伝導が遅く手をやけどせず、且つ保温機能を有する。アウタチューブの表面への生漆の塗装により、古い漆器の技法が現われ、審美的な最適な効果に達する。塗料を粘着剤として採用することで、耐熱耐久性を有し、異なる材料間での熱膨脹と冷収縮による割れ問題が解消される。【選択図】図１
0003219904.tif 000002
【実用新案登録請求の範囲】
【請求項１】
ダブルチューブ生漆容器であって、チューブが金属から成形されたインナチューブと非金属から成形されたアウタチューブとを備えており、天然の生漆を粘着剤とし、インナチューブとアウタチューブとを一体に粘着し、前記アウタチューブの外表面には、生漆の塗装があることを特徴とするダブルチューブ生漆容器。
【請求項２】
インナチューブの開口部には、外に向かうフランジを有し、当該フランジは、アウタチューブの頂部を包んで設けられていることを特徴とする請求項１に記載のダブルチューブ生漆容器。
【請求項３】
インナチューブとアウタチューブとの結合の露出した継ぎ目箇所には、細い漆の灰が充填されており、磨いてから、ラッカー塗装がされていることを特徴とする請求項１または２に記載のダブルチューブ生漆容器。
【考案の詳細な説明】
【技術分野】
【０００１】
本実用新案は、食物を入れるための容器の分野に属し、ダブルチューブ生漆容器に関し、特に、金属インナチューブと非金属アウタチューブとから結合されたものに関する。
【背景技術】
【０００２】
従来の漆器では、漆器を作るチューブの材料選定は、範囲が広い。よくあるチューブは、木製チューブ、竹製チューブ、布製チューブ、チョマで織った布を挟んだチューブ、紙製チューブ、皮製チューブ、陶製チューブ、及び金属製チューブなどであり、従来の漆器は、普通、単一層を主とする。金属チューブを使用した生漆容器は、熱い食物を入れるときに、熱伝導が速いので、手をやけどする問題がある。非金属チューブは、内外の表面のいずれにも生漆があり、熱せられて漆のにおいが発生し、数年で消えるようになる。これにより、入れた食品の食感に影響を及ぼすようになる。如何にこのような矛盾を解消するかは、本実用新案の研究対象となる。
【考案の概要】
【考案が解決しようとする課題】
【０００３】
本実用新案は、チューブとして金属インナチューブと非金属アウタチューブとを粘着したダブルチューブ生漆容器を設計することを目的とする。
【課題を解決するための手段】
【０００４】
本実用新案の技術案は、以下のように実現され、即ち、ダブルチューブ生漆容器であって、チューブは、金属から成形されたインナチューブと非金属から成形されたアウタチューブとを備えており、天然の生漆を粘着剤とし、インナチューブとアウタチューブとを一体に粘着し、アウタチューブの外表面には、生漆の塗装があることを特徴とする。
【０００５】
インナチューブの開口部には、外に向かうフランジを有し、当該フランジは、アウタチューブの頂部を包んで設けられている。
【０００６】
インナチューブとアウタチューブとの結合の露出した継ぎ目箇所には、細い漆の灰が充填されており、磨いてから、ラッカー塗装がされている。
【０００７】
本実用新案は、巧妙にダブルチューブ構造を設計し、ダブルチューブ漆器のそれぞれの材料のメリットを十分に発揮して、各自の不足を補う。金属インナチューブで熱い食物を盛ると異臭がなく、非金属アウタチューブの熱伝導が遅く手をやけどせず、且つ保温の機能を有する。アウタチューブの表面における生漆の塗装により、古い漆器の技法が現れて、審美的な最適な効果に達するようになる。両方の間に、塗料を粘着剤として採用し、耐熱耐久性を有するとともに、異なる材料間での熱膨脹と冷収縮による割れ問題が解消されるようになる。
【図面の簡単な説明】
【０００８】
以下、具体的な図面に基づいて本実用新案をさらに説明する。
【図１】ダブルチューブ生漆容器の模式図である。
【図２】ダブルチューブ生漆容器の断面模式図である。
【図３】ダブルチューブ生漆容器の分解模式図である。
【考案を実施するための形態】
【０００９】
図１、図２及び図３を参照すると、ダブルチューブ生漆容器は、チューブが、インナチューブ１とアウタチューブ２とを備えており、インナチューブ１が金属から成形されたものであり、例えば、ステンレスまたは、銀からなり、インナチューブ１の開口部には、外に向かうフランジ１１を有し、当該フランジ１１は、アウタチューブの頂部を包んで設けられている。
【００１０】
アウタチューブ２は、非金属から成形されたものであり、例えば、木製、竹製、陶製または布製などの芯抜き製法で作ったチューブであり、アウタチューブ２の外表面には、生漆の塗装がある。
【００１１】
インナチューブ１は、アウタチューブ２の中に嵌め込まれており、天然の生漆を粘着剤とし、両者を一体に粘着し、インナチューブ１とアウタチューブ２との結合の露出した継ぎ目箇所には、細い漆の灰が充填されており、磨いてから、ラッカー塗装がされていることにより、継ぎ目を隠して、表面と一体になるようにする。
【符号の説明】
【００１２】
１  インナチューブ
１１  フランジ
２  アウタチューブ
【図１】
0003219904.tif 000003
【図２】
0003219904.tif 000004
【図３】
0003219904.tif 000005
(57)【要約】      （修正有）【課題】扉やシャッターより廉価に蓋を設けることが可能であり、また棚内部の気密性を実現することが可能な物品収納棚を提供する。【解決手段】物品収納棚１の天板２、側板３、底板４の開口面小口に長手方向の溝を設けて磁石を嵌着し、その上から小口テープを接着して外観を整え、さらに樹脂製の蓋５の磁石嵌着部に重合する箇所に磁性体９を接着し、開口面小口と蓋５が磁力によって吸着可能とし、さらに開口面小口に複数の凸部１０を設け、蓋５に穴１１を設けて凸部１０と嵌合可能とし、開口面小口と蓋５の位置ずれを防ぐことを可能とする。【選択図】図１
0003219925.tif 000002
【実用新案登録請求の範囲】
【請求項１】
開口面を有する物品収納棚であって、開口面小口に磁石または磁性体を止着し、さらに開口面の少なくとも一部を覆う別体の蓋の該開口面小口の該磁石または磁性体の止着箇所と重合する箇所に該磁石または磁性体に磁着する部材を止着し、開口面小口と蓋が磁力によって吸着可能としたことを特徴とする物品収納棚。
【請求項２】
開口面小口に複数の凸部または凹部を設け、蓋の該凸部または凹部に当接する箇所を該凸部または凹部と嵌合可能な形状とすることにより、開口面と蓋の位置ずれを防止することを可能としたことを特徴とする請求項１記載の物品収納棚。
【考案の詳細な説明】
【技術分野】
【０００１】
本考案は、開口面を磁力で吸着する蓋によって塞ぐことができる物品収納棚に関するものである。
【背景技術】
【０００２】
物品収納棚の開口面に蓋を設ける場合、扉やシャッター等を用いていた。
【考案の概要】
【考案が解決しようとする課題】
【０００３】
開口面に蓋を備える物品収納棚の製造に際し、蝶番を介して開閉する扉やシャッター等を用いると経済的負担となるだけでなく、棚内部の高い気密性を実現するには高度な加工技術が必要であった。従って、棚の開口面小口と蓋を磁石と磁性体により吸着させることによって前記課題を解決しようとするものである。
【課題を解決するための手段】
【０００４】
開口面を有する物品収納棚であって、開口面小口に磁石または磁性体を止着し、さらに開口面の少なくとも一部を覆う別体の蓋の該開口面小口の該磁石または磁性体の止着箇所と重合する箇所に該磁石または磁性体に磁着する部材を止着し、開口面小口と蓋が磁力によって吸着可能としたことを特徴とする物品収納棚。
【０００５】
開口面小口に複数の凸部または凹部を設け、蓋の該凸部または凹部に当接する箇所を該凸部または凹部と嵌合可能な形状とすることにより、開口面と蓋の位置ずれを防止することを可能としたことを特徴とする上記物品収納棚。
【考案の効果】
【０００６】
本考案によれば、物品収納棚の製造に際して扉やシャッターより廉価に蓋を設けることが可能であり、また棚内部の高い気密性を実現することが可能である。
【図面の簡単な説明】
【０００７】
【図１】本考案に係る物品収納棚の一実施の形態を示した斜視図である。
【図２】物品収納棚の開口面小口と蓋の断面図である。
【考案を実施するための形態】
【０００８】
開口面を有する物品収納棚であって、開口面小口に磁石７または磁性体を止着し、さらに開口面の少なくとも一部を覆う別体の蓋５の該開口面小口の該磁石７または磁性体の止着箇所と重合する箇所に該磁石または磁性体に磁着する部材を止着し、開口面小口と蓋５が磁力によって吸着可能としたことを特徴とする物品収納棚１。
【０００９】
開口面小口に複数の凸部１０または凹部を設け、蓋の該凸部１０または凹部に当接する箇所を該凸部１０または凹部と嵌合可能な形状とすることにより、開口面と蓋５の位置ずれを防止することを可能としたことを特徴とする上記物品収納棚１。
【００１０】
詳細には、物品収納棚１は天板２、側板３、底板４の開口面小口に長手方向の溝６を設けて磁石７を嵌着し、その上から小口テープ８を接着して外観を整え、さらに、例えば、樹脂製の蓋５の前記磁石７嵌着部に重合する箇所に磁性体９を接着し、開口面小口と蓋５が吸着可能とした。
【００１１】
物品収納棚１は、開口面小口に複数の凸部１０を設け、蓋５の該凸部に当接する箇所に穴１１を設けて前記凸部１０と嵌合可能とし、開口面と蓋５の位置ずれを防ぐことを可能とした。
【００１２】
なお、本実施形態は開口面小口に磁石を嵌着し、蓋に磁性体を接着すると説明したが、開口面小口に磁性体を嵌着し、蓋に磁石を接着するとしてもよい。また開口面小口に凸部を設け、蓋に穴を設けると説明したが、開口面小口に凹部を設け、蓋に凸部を設けるとしてもよい。
【符号の説明】
【００１３】
１  物品収納棚
２  天板
３  側板
４  底板
５  蓋
６  開口面小口の溝
７  磁石
８  小口テープ
９  磁性体
１０  開口面小口の凸部
１１  蓋の穴
【図１】
0003219925.tif 000003
【図２】
0003219925.tif 000004
(57)【要約】      （修正有）【課題】快適性や介護の受け易さを向上させた快適住宅を提供する。【解決手段】マイクロバブルバス１、自動洗髪機２及び電動ベッド３の３つの設備を移動の負担が少ない３〜７メートル四方の範囲内に配置する。【選択図】図１
0003219948.tif 000002
【実用新案登録請求の範囲】
【請求項１】
マイクロバブルバス、自動洗髪機及び電動ベッドの３つの設備が３〜７メートル四方の範囲内に配置された快適住宅。
【考案の詳細な説明】
【技術分野】
【０００１】
本考案は、快適性や介護の受け易さを向上させるために、マイクロバブルバス、自動洗髪機及び電動ベッドを３〜７メートル四方の範囲内に配置した快適住宅に関する。
【背景技術】
【０００２】
心地よい温湿度であれば、具合が良く気持ちが良いことから、住宅の快適さは、冷暖房の性能、断熱性能、気密性能、換気性能、湿度管理に着目して考えられることが多い。ところが人が本当に快適だと感じる時である、入浴や睡眠に特化した住宅は、ほとんど例がない。
【０００３】
直径約１マイクロメートルの泡であるマイクロバブルを発生させる機能を持つマイクロバブルバスは、負電荷を持つマイクロバブルにより微小なゴミを吸着して水面に浮上させるため、入浴するだけで肌が洗浄され、健康的でつややかな肌になる効果を持つ。さらに、リラックス効果の高い全体水流と疲れた体にも効果的な部分水流により快適さを体験できる。また、身体の清潔を第一にとらえる入浴介助においてもマイクロバブルバスは最適な浴槽となる。
【０００４】
水流により洗髪する自動洗髪機は、その水流により毛穴にたまった老廃物や皮脂を強力に除去し、頭皮への刺激によるマッサージ効果で血行を増進するので抜け毛が予防できる。水流による洗髪方法では、髪の毛同士がこすれあわないため、キューティクルが保護され、髪が傷まない利点もある。さらに、頭皮への水流マッサージにより、快適さを体験できる。また、マンパワーを必要とし、収益面で厳しく、体への負担も大きい洗髪介護においても自動洗髪機は介護者の時間や負担を軽減できる。
【０００５】
リクライニング機能がついた電動ベッドは、体を起こすのが困難な状態、例えば寝起きの悪い人や二日酔いの人でも楽に起き上がることができ、上体を起こしてから立ち上がることができるので転倒のリスクが軽減できる。さらに、足の部分を持ち上げれば、血行の改善やむくみの予防に役立つ。また、電動ベッドは、被介護者の暮らしやすさを向上させ、介護者の負担を軽減する。
【０００６】
しかしながら、従来の新築或いはリフォーム住宅では、ユニットバスは備えられているが、マイクロバブルバスを採用している例は多くなく、自動洗髪機は一般的には備えられておらず、また、それを備える適切なスペースも確保されておらず、電動ベッドは居住者の負担によるところが大きく、これら３つの快適さを備えた、より快適な住宅が提供できないという欠点があった。
【先行技術文献】
【特許文献】
【０００７】
【特許文献１】実用新案登録第３１４８０５０号広報
【特許文献２】特許６０４１９７３号広報
【特許文献３】特開２０１７−０１８５９１号広報
【考案の概要】
【考案が解決しようとする課題】
【０００８】
本考案は、以上のような従来の欠点に鑑み、従来の新築或いはリフォーム住宅の状態で、マイクロバブルバスを採用し、適切なスペースを確保して自動洗髪機を備えつけ、さらに、電動ベッドを標準装備し、これら３つが快適さの維持される範囲内で配置された快適住宅を提供する事を目的としている。
【課題を解決するための手段】
【０００９】
上記目的を達成するために、本考案は、移動の負担が少なく、快適さが維持できる範囲内、好ましくは３〜７メートル四方の範囲内で配置された、マイクロバブルバス、自動洗髪機及び電動ベッドにより快適住宅を構成している。
【考案の効果】
【００１０】
以上の説明から明らかなように、本考案に当たっては次に列挙する効果が得られる。
（１）マイクロバブルバス、自動洗髪機及び電動ベッドの３つの設備が３〜７メートル四方の範囲内に配置された快適住宅なので、日常の生活で快適さが実感され、さらには介護にあたっては介護者の時間や負担が軽減できる。
【図面の簡単な説明】
【００１１】
【図１】本考案を実施するための一実施例を示す間取り図である。
【考案を実施するための形態】
【００１２】
以下、本考案の実施の形態を図に基づいて説明する。
【実施例１】
【００１３】
図１は本考案の快適住宅の間取り図の一例を示す図面であって、１はマイクロバブルバス、２は自動洗髪機及び３は電動ベッドを示し、これらが配置されている。マイクロバブルバス１は市販の浴槽で良く、２０マイクロメートルの気泡が噴射される株式会社ノーリツのマイクロバブルアダプターを装備した浴槽や１マイクロメートルの気泡が吐出される浴槽である株式会社サイエンスのマイクロバブルトルネードが挙げられるが、マイクロバブルトルネードが好ましい。
【００１４】
自動洗髪機２は、マッサージ効果に優れたタカラベルモント株式会社のアクアフォルテや心地よい水流の株式会社介護福祉課のＳｈａｍｐｏｏ Ｆｒｅｓｈｅｒ‘ｓが挙げられるが、アクアフォルテが好ましい。
【００１５】
電動ベッド３は、リクライニングを内蔵したマットレスでいろいろなスタイルでくつろげるフランスベッド販売株式会社のルーパームーブや体圧分散性を持つ静止型床ずれ防止のマットレスを備えたパラマウントベッド株式会社のＩＮＴＩＭＡＴＥ  １０００や楽匠Zシリーズが挙げられるが、楽匠Zシリーズが好ましい。
【００１６】
図１の間取りは、新築の一戸建てや集合住宅で設計され、施工時にマイクロバブルバス１、自動洗髪機２及び電動ベッド３を配置してもよいし、一戸建てや集合住宅をリフォームするときに図１のように間取りを変更して、マイクロバブルバス１、自動洗髪機２及び電動ベッド３を配備してもよい。図１の間取りでは、適切に確保されたスペースに自動洗髪機２が配置されているので、日常生活の障害にならない。さらに、自動洗髪機２からマイクロバブルバス１へ、マイクロバブルバス１から電動ベッド３への動線が確保された３〜７メートル四方の範囲内に、マイクロバブルバス１、自動洗髪機２及び電動ベッド３が配置されているので、それぞれの快適さを相乗的に体感することができる。また、図１の間取りは、旅館、ホテル、民宿、高齢者施設、介護施設等に応用することが可能である。
【符号の説明】
【００１７】
１  マイクロバブルバス
２  自動洗髪器
３  電動ベッド
【産業上の利用可能性】
【００１８】
本考案は、快適住宅を施工できる業者、すなわちハウスメーカー、工務店、マンション施工会社、リフォーム業者等で利用される。
【図１】
0003219948.tif 000003
(57)【要約】      （修正有）【課題】清潔かつ高い耐久性の腕貫を提供する。【解決手段】芯となる耐久性のある化学繊維の両端リングと支持体に化学繊維の糸１〜３を網目状に編む事により、筒体を形成する。手洗いできる事で清潔に保ち、変形により破損することがほとんど無く、かつ耐久性を改善する。【選択図】図１
0003219666.tif 000002
【実用新案登録請求の範囲】
【請求項１】
両端に化学繊維のリングと、中間には化学繊維の支持体と、両端リングと支持体を覆うように編み込む化学繊維の糸と、各支持体間をつなぐ化学繊維の糸により構成されることを特徴とする腕貫。
【請求項２】
中間の支持体をリングで構成し、リングの間隔を５ｍｍ〜１５ｍｍとした事を特徴とする請求項１の腕貫。
【請求項３】
中間の支持体を螺旋構造で構成し、螺旋の間隔を５ｍｍ〜１５ｍｍとした事を特徴とする請求項１の腕貫。
【考案の詳細な説明】
【技術分野】
【０００１】  本発明は化学繊維の糸を網目状に編んで筒体を形成した腕貫に関するもので、被服を着用する際に被服の袖が直接腕に接触しないように腕にはめて使用される。
【背景技術】
【０００２】  従来の腕貫は籐製であった。
【考案の概要】
【考案が解決しようとする課題】
【０００３】  従来の籐製の腕貫は、図２に示したように籐の茎を紐状に加工したものを斜四ツ目編み等の編み技法を使用して筒体を形成しその両側に籐製のリングを一体的に形成した構成のものであって、被服の袖部分が直接腕に接触して汗が付着するのを防止するために使用されている。【０００４】  この腕貫は筒体の両側に籐製のリングを固定して筒体を維持するようになっているため、一般的には僧侶等が夏に法服を着用する際に使用されているが、軽い割には大きなスペースを必要とし、また力が加わると破損しやすく、さらには藤に汗や水分が染み込むことにより寿命が短くなるという問題があった。
【課題を解決するための手段】
【０００５】  この技術的課題を解決するための技術的手段は、耐久性の高い化学繊維の糸を使用して覆うように編み込むことにより筒体を形成し、かつ腕貫として使用する際に形状を維持するために、両端リングと中間の支持体をリング構造あるいは螺旋構造にすることにより問題を解決している。
【考案の効果】
【０００６】  使用時には、化学繊維の両端リングと中間の支持体の作用で筒体を維持し、網目状の合成繊維により、持ち運ぶときは形状を変えることができ、また耐久性の高い化学繊維の支持体や化学繊維の糸を使用することにより、手洗いできる事で清潔に保つことができ、耐久性も改善する。【０００７】  腕の太さや長さ等の個人差に対しては、複数のサイズを用意すれば対応でき、腕貫が腕から抜けることを防止し装着時の違和感も小さくなり、移動時や保管時に多少の力が加わっても藤製と違い、破損することなく変形し、力が抜けると元の形状に戻り、スペースを節約でき、かつ寿命も籐製の腕貫より長くできる。
【図面の簡単な説明】
【０００８】
【図１】本考案の腕貫の一実施例を示す正面図である。
【図２】従来の腕貫の一実施例を示す正面図である。
【符号の説明】
【０００９】  １  化学繊維のリングと、リングを覆うように編み込む化学繊維の糸
２  化学繊維の支持体と、支持体を覆うように編み込む化学繊維の糸
３  各支持体間をつなぐ化学繊維の糸
４  籐製のリング
５  籐の茎を紐状に加工したものを斜四ツ目編み等
【図１】
0003219666.tif 000003
【図２】
0003219666.tif 000004
(57)【要約】      （修正有）【課題】ドリンクホルダーの取り外しを全くスムーズにできるベッドサイドテーブルを提供する。【解決手段】ドリンクホルダー１が付いたサイドテーブル６において、鍔５の上部に外周を指で掴めるだけの高さの側があるドリンクホルダー１とし、入り口以外からの外力を防止するドリンクホルダー用ホルダー３から取り外すには、鍔５の上部の側の外周を指で掴んで外す。【選択図】図１
0003219672.tif 000002
【実用新案登録請求の範囲】
【請求項１】
入り口以外からの外力を防止するドリンクホルダー用ホルダーに脱着し鍔の上部に外周を指で掴めるだけの高さの側がありドリンクホルダー内にフラップがあるドリンクホルダー個体が付いたベッドサイドテーブル。
【考案の詳細な説明】
【技術分野】
【０００１】
本考案は、スムーズに取り外すことができるドリンクホルダーの付いたベッドサイドテーブルに関するものである。
【背景技術】
【０００２】
フラップがあり脱着できるドリンクホルダーが付いたベッドサイドテーブルが考案されている。
【０００３】
しかし、取り外しの全くスムーズなドリンクホルダーが付いたベッドサイドテーブルとは言えなかった。
【先行技術文献】
【特許文献】
【０００４】
【特許文献１】実登３２１７９４８号公報
【考案の概要】
【考案が解決しようとする課題】
【０００５】
解決しようとする問題点は、取り外しを全くスムーズにできるドリンクホルダーが付いたベッドサイドテーブルを提供することである。
【課題を解決するための手段】
【０００６】
本考案は、鍔の上部に外周を指で掴めるだけの高さの側のあるドリンクホルダー個体を取り付けたことを特徴とするベッドサイドテーブルとすることである。
【考案の効果】
【０００７】
本考案のドリンクホルダー付きベッドサイドテーブルは、ドリンクホルダーの取り外しを鍔の上部の側の外周を指で掴んで全くスムーズにできるので、清掃等の保守を容易に行えるベッドサイドテーブルであり、ベッドサイドテーブルに付けたドリンクホルダーは、上部以外からの外力を受けて外れるようなことがない。
【図面の簡単な説明】
【０００８】
【図１】図１はベッドサイドテーブルとドリンクホルダーが分離しているときの斜視図である。
【考案を実施するための形態】
【０００９】
鍔５の上部に外周を指で掴めるだけの高さの側があり入り口以外からの外力を防止するドリンクホルダー用ホルダー３に脱着する個体のドリンクホルダー１が付いたベッドサイドテーブル６である。ドリンクホルダー１は、ドリンクホルダー用ホルダーの入り口縁４に鍔５が冠するように取り付ける。ドリンクホルダーの鍔５およびドリンクホルダー用ホルダーの入り口縁４の間にパッキンを用いると、ドリンクホルダー用ホルダーを汚す液体の浸み込みの防止に有効である。
【実施例１】
【００１０】
図１は、本考案のベッドサイドテーブル本体とドリンクホルダーが分離した図であり、ドリンクホルダー１の鍔５の上部の側の高さが１５ｍｍ位あれば指で容易に掴める。
【００１１】
図に表されていないが、ドリンクホルダーの内側には、ドリンクの保持性を良くするためのフラップがある。
【００１２】
ドリンクホルダーの係止用に、ドリンクホルダーの側の外側に窪み７、およびドリンクホルダー用ホルダーの側の内側に突起８を設けて、双方が噛み合うようにすると良い。
【産業上の利用可能性】
【００１３】
療養用にベッドサイドテーブルは普及しており、本考案は、改良版となるものである。
【符号の説明】
【００１４】
１    ドリンクホルダー
２    ドリンクホルダーの側
３    ドリンクホルダー用ホルダー
４    ドリンクホルダー用ホルダーの入り口縁
５    鍔
６    ベッドサイドテーブル
７    窪み
８    突起
９    フラップハウス
【図１】
0003219672.tif 000003
(57)【要約】      （修正有）【課題】カットせずに制作でき、時間の短縮及び、カットして巻きかがる時に生じるズレを解消し、完成度の高い作品を作ることができる屈曲型ネットを提供する。【解決手段】縦横にはりめぐらせたネット４によって上下左右にマスが形成されているとともに、マスに左右から第１、第２のテープ１、２を通した屈曲型ネットであって、第１、第２のテープ１、２はマスの上下方向に一段ずつずれて配置されていて、第１、第２のテープ１、２を折り返して形成した三角が、折り曲げたいマスの上下方向のラインに沿って交互に配置されていて、折り曲げたいマスの片方の枠に、第３のテープ３が巻きかがることによってできる。【選択図】図１
0003219647.tif 000002
【実用新案登録請求の範囲】
【請求項１】
ネットとテープを使用してバッグ等を作る際、折り曲げたいマスに、左右からテープを通し同じマスで三角に折り返します。左右から通し、三角に折り返したマスの片方のマスの枠を、新たなテープで巻きかがることで出来たゲージ。
【考案の詳細な説明】
【技術分野】
【０００１】      本考案は、ネットにテープを通す事により形つくる、物づくりに関する。
【背景技術】
【０００２】      ネットにテープを通してバッグ等を作る際、ネットを切って張り合わせることで、角をだしていた。
【考案の概要】
【考案が解決しようとする課題】
【０００３】      ネットにテープを通してバッグ等を作る際、角度を付ける為にネットをカットして巻きかがるため、両サイドにズレが生じる。
【課題を解決するための手段】
【０００４】      本考案は、通し方の工夫でカットせずに折り曲がるため、上記課題を解決するものである。
折り曲げたいところのマスに、左右からテープを通し、同じマスで三角を作り折り返し、そのマスの片方の枠を巻きかがる。
【考案の効果】
【０００５】      本考案は、カットせずに制作するため、時間の短縮及び、カットして巻きかがる時に生じるズレを解消し、完成度の高い作品を作ることができるため、実用性に優れたものである。
【図面の簡単な説明】
【０００６】
【図１】本考案の角を作るため、ネットにテープを通したゲージである。
【図２】本考案を使用した際に折り曲がったネットの状態である
【図３】本考案を使用して制作したバッグの完成図である。
【考案を実施するための形態】
【０００７】  バッグ等を作る際、折り曲げたいところのマスに、左右からテープを通し、三角に折り返す。そのマスの片方の枠を巻きかがることにより、真っすぐのネットが折曲がる。
【実施例】
【０００８】  以下、添付図面に従って一実施例を説明する。
図１．Ａは、折り曲げたいマスのライン、このマスに左右からテープ１、２を通して折り返し三角を作る。Ｂは、折り曲げたいマスの片方の枠、この枠をテープ３で巻きかがることによって真っすぐだったネットが折曲がる【０００９】図２．Ａは、図１のＡライン。
通す事によって、折曲がった状態を表した図である。
図３．技法を使って完成したバッグの図である。
【符号の説明】
【００１０】Ａ  ネットの折り曲げたいライン
Ｂ  ネットの折り曲げたいラインの片方の枠
１．テープ
２．テープ
３．テープ
４．ネット
【図１】
0003219647.tif 000003
【図２】
0003219647.tif 000004
【図３】
0003219647.tif 000005
【手続補正書】
【提出日】平成30年8月15日(2018.8.15)
【手続補正１】
【補正対象書類名】実用新案登録請求の範囲
【補正対象項目名】全文
【補正方法】変更
【補正の内容】
【実用新案登録請求の範囲】
【請求項１】
ネットとテープを使用してバッグを作る際、折り曲げたいマスに左右からテープを通し同じマスで三角に折り返して、マスの片方の枠を新たなテープで巻きかがる組み合わせによってできる屈曲型ネット。
【手続補正３】
【補正対象書類名】明細書
【補正対象項目名】０００１
【補正方法】変更
【補正の内容】
【０００１】本考案は、ネットにテープを通す事により形つくる、手芸に関する。
【手続補正４】
【補正対象書類名】明細書
【補正対象項目名】０００２
【補正方法】変更
【補正の内容】
【０００２】ネットにテープを通してバッグをつくる際、ネットを切って張り合わせることで、角度をだしていた。
【手続補正５】
【補正対象書類名】明細書
【補正対象項目名】０００３
【補正方法】変更
【補正の内容】
【０００３】ネットにテープを通してバッグをつくる際、角度を付ける為にネットをカットして巻きかがるため、両サイドにズレが生じる。
【手続補正６】
【補正対象書類名】明細書
【補正対象項目名】０００４
【補正方法】変更
【補正の内容】
【０００４】  本考案は、折り曲げたいところのマスに左右からテープを通し同じマスで三角を作り折り返し、その片方の枠を巻きかがる通し方の組み合わせの工夫で、カットせずに屈曲型ネットになるため、上記課題を解決するものである。
【手続補正７】
【補正対象書類名】明細書
【補正対象項目名】０００６
【補正方法】変更
【補正の内容】
【０００６】
【図１】  本考案の角度をつくるため、テープを通す組み合わせを表した屈曲型ネットの図である。
【図２】  本考案を使用した屈曲型ネットの状態。
【図３】  本考案の屈曲型ネットを使用して制作したバッグの完成図である。
【手続補正８】
【補正対象書類名】明細書
【補正対象項目名】０００７
【補正方法】変更
【補正の内容】
【０００７】バッグをつくる際、折り曲げたいところのマスに左右からテープを通し三角に折り返し、そのマスの片方の枠を巻きかがることにより、真っすぐのネットが屈曲型ネットになる。
【手続補正９】
【補正対象書類名】明細書
【補正対象項目名】０００８
【補正方法】変更
【補正の内容】
【０００８】以下、添付図面に従って一実施例を説明する。
図１．Ａは、折り曲げたいマスライン、このマスに左右からテープ１、２を通して折り返し三角をつくり、Ｂは、折り曲げたいマスの枠、この片方の枠をテープ３で巻きかがることによって真っすぐだったネットが屈曲型ネットになる。
【手続補正１０】
【補正対象書類名】明細書
【補正対象項目名】０００９
【補正方法】変更
【補正の内容】
【０００９】図２．Ａは、図１のＡラインで、通す事によって屈曲型ネットになった状態を表した図であり、図３は、屈曲型ネットを使って完成したバッグの図である。
【手続補正書】
【提出日】平成30年10月24日(2018.10.24)
【手続補正１】
【補正対象書類名】実用新案登録請求の範囲
【補正対象項目名】全文
【補正方法】変更
【補正の内容】
【実用新案登録請求の範囲】
【請求項１】
縦横にはりめぐらせたネットによって上下左右にマスが形成されているとともに、前記マスに左右から第１、第２のテープを通した屈曲型ネットであって、前記第１、第２のテープは前記マスの上下方向に一段ずつずれて配置されていて、前記第１、第２のテープを折り返して形成した三角が、折り曲げたいマスの上下方向のラインに沿って交互に配置されていて、折り曲げたいマスの片方の枠に、第３のテープが巻きかがることによってできる屈曲型ネット。
(57)【要約】【課題】本考察は、電源のON/OFFが容易なカバーを提供することを目的とする。【解決手段】椅子1にかけられるカバー10は、袋状に形成された本体11と、本体11の内部に収容され電気を流す事で、熱を発生するヒーター12と、ヒーター12に電気を流す状態と電気を流さない状態とに切り替えるためのスイッチ13と、を備え、スイッチ13は、本体11の側縁近傍の表面に設けられている。【選択図】 図2
0003219619.tif 000002
【実用新案登録請求の範囲】
【請求項１】
椅子にかけられるカバーであって、袋状に形成された本体と、本体の内部に収容され電気を流す事で、熱を発生するヒーターと、ヒーターに電気を流す状態と電気を流さない状態とに切り替えるためのスイッチと、を備え、スイッチは、本体の側縁近傍の表面に設けられているカバー。
【請求項２】
ヒーターに電気を供給する電源に接続可能なコードと、本体の表面に取り付けられ、電源を挿入可能な袋体と、を更に備え、コードは、本体の表面から、袋体内部に向かって延びている請求項1に記載のカバー。
【考案の詳細な説明】
【技術分野】
【０００１】
椅子にかけられ、ヒーターを備えるカバーに関する。
【背景技術】
【０００２】
従来、ヒーターを備えるカバーは、カバーから伸びるコードに電源が接続されている。
【考案の概要】
【考案が解決しようとする課題】
【０００３】
しかしながら、従来のヒーターはカバーから離れた位置に電源があるため捜査しづらかった。
【０００４】
本考察は、電源のON/OFFが容易なカバーを提供することを目的とする。
【課題を解決するための手段】
【０００５】
椅子にかけられるカバーであって、袋状に形成された本体と、本体の内部に収容され電気を流す事で、熱を発生するヒーターと、ヒーターに電気を流す状態と電気を流さない状態とに切り替えるためのスイッチと、を備え、スイッチは、本体の側縁近傍の表面に設けられているカバー。
【考案の効果】
【０００６】
本考察によれば、電源のON/OFFが容易なカバーを提供出来る。また、ヒーター機能を持った座面シートを取り付け、電気を流すスイッチをオンにする事で、座面シートを一定温度に保つ事ができる。また、スイッチは本体の側縁近傍に設けられているため、シート着席時に干渉しない。また、電源ケーブルもシート側面の収納ポケットに向けて取り付けられているため、他の物に引っ掛かりづらくなっている。
【図面の簡単な説明】
【０００７】
【図１】本考案の実施形態に係るカバーの写真である。
【図２】本考案の実施形態に係るカバーのスイッチ近辺の拡大写真である。
【考案を実施するための形態】
【０００８】
椅子1にかけられるカバー10は、袋状に形成された本体11と、本体11の内部に収容され電気を流す事で、熱を発生するヒーター12と、ヒーター12に電気を流す状態と電気を流さない状態とに切り替えるためのスイッチ13と、を備え、スイッチ13は、本体11の側縁近傍の表面に設けられている。
【０００９】
又、カバー10は、ヒーター12に電気を供給する電源に接続可能なコード14と、本体11の表面に取り付けられ、電源を挿入可能な袋本体と、を更に備え、コード14は、本体11の表面から、袋体15内部に向かって延びている。
【符号の説明】
【００１０】
1椅子
10カバー
11本体
12ヒーター
13スイッチ
14コード
15袋体
【図１】
0003219619.tif 000003
【図２】
0003219619.tif 000004
(57)【要約】      （修正有）【課題】ラップフィルムの引き出しからカットまで、平面展開のまま食品・食器にラップかけができる長尺板を提供する。【解決手段】ラップフィルム１の幅と同一の長さを持ち一面を粘着面３とした長尺板２をロール巻きフィルムの先端の切り残し部位に接着して引き出すことで全面平らな平面展開のままカットからラップかけまで絡まることなく余裕でラップかけする事ができる。【選択図】図３
0003219657.tif 000002
【実用新案登録請求の範囲】
【請求項１】
食品包装用ラップフィルム引き出しのための長尺板であって、その長さは食品包装用ラップフィルムの幅と同一であり、その幅は食品包装用ラップフィルムのロール巻き容器の高さ弱であり、その一面には食品包装用ラップフィルムに密着、引出しを可能とする粘着面を施した長尺板である。
【請求項２】
［請求項１］における長尺板であって、その表面を物差しとし、数種の均等割り目盛を印字した長尺板である
【請求項３】
上記長尺板を常時食品包装用ラップフィルムのロール巻き容器の蓋と、その側面に接着されてあるラップフィルムの切り残し残留フィルムとの間に収納し、いつでも初動で長尺板を起こすだけで引き出せる如くした、長尺板とロール巻き容器の組み合わせ。
【考案の詳細な説明】
【技術分野】
【０００１】  本考案は食品包装用ラップフィルムをロール巻き容器より引き出すための長尺板に関する。
【背景技術】
【０００２】  通常食品・食器をラップかけする時は食品包装用ラップフィルムをロール巻き容器から指一点でラップフィルムを引き出しカットしてラップかけするが，ラップフィルムは極薄く粘着性強く、指一点では前後が垂下し、カットする時は不完全カットとなることが多く、カット後全体が垂下することになり更により曲げ絡みつきとなるため素早く食品・食器の上にラップかけする必要があり常に困難している状態であり、この問題を解決する先行技術は存在していない。
【考案の開示】
【考案が解決しようとする課題】
【０００３】  前述のように指一点による引き出しは垂下絡まりとなるが，本考案では引き出しからカットまで平面展開のままラップかけする事を課題とする。
【課題を解決するための手段】
【０００４】  本考案では、ラップフィルムの幅と同一の長さを持ち、一面を粘着面とした長尺板をロール巻き容器の壁面に接着している切り残り残留ラップフィルムに密着させて引き起こし引き出すことでラップフィルム幅一杯平面展開し、垂れ下がり絡むことなく平のままカットからラップかけまでを容易とする。【０００５】  長尺板は常時ロール巻き容器の蓋と容器の壁面に切り残された残留ラップフィルムとの間に定置して一体とした組合せ形態とする【０００６】  長尺板の表面に物差しの目盛を表示し、更に数種類の均等割り目盛を印字する事でキッチン用物差しとする。
【考案の効果】
【０００７】  本考案でラップかけをする時はロール巻き容器に収納されている長尺板を引き起こし引き出すだけでラップフィルムがロール巻き容器から全面平らに平面展開のまま引き出され、カットした時点でも平のまま垂下し従来のごとくより曲がって絡まることもなく、余裕をもってラップかけが出来る事は、従来の困難さから見て極めて有効であり、事実子供でも１００パーセント間違えなく操作できることが実証されている。【０００８】  常時長尺板をロール巻き容器の蓋の下と切り残り残留フィルムの間に定置して置くことは、纏まりよく散逸を防ぎ、かつ初動からすぐ指でつまみ出す事無く長尺板を引き起こすとすぐラップフィルムを引き出し出来ることはスピードとともに極めて有効である。。【０００９】  通常指でラップフィルムを引き出す際に指でロールを押し戻すことで、よくロールフィルムが巻き戻されて復元するのに大変苦労するが、本考案の長尺板を使用する時は指で触らず長尺板を出し入れするだけの繰り返しでロールフィルムの巻き戻りがおこることはない。【００１０】  長尺板は形態が物差しと同様であり、その表面に物差し目盛を印字し、更に均等割り目盛を刻印する事でキッチン用物差しとして有益である。
【考案を実施するための最良の形態】
【実施例１】
【００１１】  長尺板の材質は木質・紙質又は合成樹脂でその長さはラップフィルムの幅と同一でその幅はロールフィルム容器の高さ弱で、その一面に粘着面加工を施す。
【実施例２】
【００１２】  長尺板とロール巻き容器は常に一体の組み合わせとし、その蓋と壁面に接着したラップフィルムの切り残し残留ラップフィルムとの間に常に初動引き出しが出来る如く収納する。
【実施例３】
【００１３】  長尺板には物差しの目盛を印字し、特に均等割り目盛を刻印してキッチン用物差しとすることも可能である
【図面の簡単な説明】
【００１４】
【図１】  長尺板の平面図および断面図
【図２】  従来のフィルム引き出しカット時の実態斜視図
【図３】  本考案の長尺板使用時の実態斜視図
【図４】  ａ  長尺板をロール巻き容器に収納した状態の断面図  ｂ  長尺板でラップフィルムを引き出した状態を示す断面図
【符号の説明】
【００１５】    １  ラップフィルム
２  長尺板
３  粘着面
４  ロール巻き容器
５  物差しの目盛
【図１】
0003219657.tif 000003
【図２】
0003219657.tif 000004
【図３】
0003219657.tif 000005
【図４】
0003219657.tif 000006
【手続補正書】
【提出日】平成30年10月22日(2018.10.22)
【手続補正１】
【補正対象書類名】実用新案登録請求の範囲
【補正対象項目名】全文
【補正方法】変更
【補正の内容】
【実用新案登録請求の範囲】
【請求項１】
食品包装用ラップフィルム引き出しのための長尺板であって、その長さは食品包装用ラップフィルムの幅と同一であり、その幅は食品包装用ラップフィルムのロール巻き容器の高さ弱であり、その一面には食品包装用ラップフィルムに密着、引き出しを可能とする粘着面を施した長尺板。
【請求項２】
請求項１に記載の長尺板であって、その表面を物差しとし、数種の均等割り目盛を印字した長尺板。
【請求項３】
請求項１または２に記載の長尺板を常時食品包装用ラップフィルムのロール巻き容器の蓋と、その側面に接着されてあるラップフィルムの切り残し残留フィルムとの間に収納し、いつでも初動で長尺板を起こすだけで引き出せる如くした、長尺板とロール巻き容器の組み合わせ。
(57)【要約】      （修正有）【課題】原因がはっきりしない尿漏れを防止する洋式トイレを提供する。【解決手段】便器１と便座２の隙間ｄを経由して発生する尿漏れの防止は、隙間ｄより先に小便を受け止め、隙間ｄに小便が当たらぬよう便座２の底内縁に沿って尿漏れ防止バンド４を取り付ける。【選択図】図１
0003219659.tif 000002
【実用新案登録請求の範囲】
【請求項１】
洋式トイレの便器１と便座２間の隙間ｄからの尿漏れ汚染防止目的の付加機能
【考案の詳細な説明】
【技術分野】
【０００１】  本考案は洋式トイレの尿漏れ防止に関するものである
【背景技術】
【０００２】  従来の便器構造への信頼感が未解決のまま尿漏れ問題を今日に持ち越した
【先行技術文献】
【特許文献】
【０００３】
【特許文献１】公開２００５−０６８９８８
【非特許文献】
【０００４】
【非特許文献１】ｐａｎａｓｏｎｉｃ  アラウーノシリーズ  ２０１７．２  １９Ｐ
【考案の概要】
【考案が解決しようとする課題】
【０００５】  洋式トイレの床面汚水は男性の立小便のほかに原因がはっきりしない尿漏れが存在する。この課題を解決する
【課題を解決するための手段】
【０００６】  隙間から内部光が見えた。これを基に便器１と便座２の隙間ｄを通路にした尿漏れを確認、隙間が通路とならぬような遮断壁を尿漏れ防止バン４取り付けで課題を解決
【考案の効果】
【８００７】  座位常用の多くの男性を尿漏れトラブルから解放、人の集まる大病院や劇場等の公衆衛生の向上、清掃作業の軽減、便器品質向上等へ貢献できる
【図面の簡単な説明】
【０００８】
【図１】  便器の隙間と尿もれ防止バンドを表示した正面図である
【考案を実施するための形態】
【０００９】  図１の尿漏れ防止バンド４は新規制作時に適用するものである
利用中の便器へは暫定処置ながらスキマテープで尿漏れの通路をふさぐ方法が有効である。
【実施例】
【００１０】  スキマテープを便座の曲がりに沿って底面に張り付け後２か月  異常なし使用頻度にもよるが衛生上  １年〜１．５年での交換が理想  スキマテープは幅：３ｃｍ  厚さ：１ｃｍ  正面：２０−３０ｃｍをテスト中
【符号の説明】
【００１１】  １    便器
２    便座
３    蓋
４    尿もれ防止バンド
ｄ    隙間
【図１】
0003219659.tif 000003
【手続補正書】
【提出日】平成30年10月18日(2018.10.18)
【手続補正１】
【補正対象書類名】実用新案登録請求の範囲
【補正対象項目名】全文
【補正方法】変更
【補正の内容】
【実用新案登録請求の範囲】
【請求項１】
便器１と便座２の隙間ｄを経由して発生する尿漏れの防止は、隙間ｄより先に小便を受け止め、隙間ｄに小便が当たらぬよう便座２の底内縁に沿って取り付けた尿漏れ防止バンド４を特長とした洋式トイレ．
(57)【要約】      （修正有）【課題】掌中に収まるアルミ平板で形成され、力が弱い或いは力の伝達が困難な状況で、ペットボトルキャップ開栓やプルトップの開缶を容易にして、体力的な負担を軽減できるペットボトルキャップ回転具を提供する。【解決手段】アルミ平板からなる本体１に設けられた穴２及び穴の内周に設けられた複数個の突起３により回転力を確実に伝達すると共に増幅可能であり、また端部に設けられたフック４をプルトップのつまみにかけて開缶する場合、支点５の作用により、引き上げ力を増幅可能であることにより、体力的負担を軽減することに役立つ。【選択図】図１
0003219656.tif 000002
【実用新案登録請求の範囲】
【請求項１】
中央にペットボトルのキャップ相当の穴を有した平板であって、穴の周囲には複数の突起を持つことを特徴とするペットボトルキャップ回転具。
【請求項２】
請求項１において端部にかぎ型の突起を持つことを特徴とするペットボトルキャップ回転具。
【考案の詳細な説明】
【技術分野】
【０００１】  本考案は、ペットボトルのキャップを外す際に小さな力でキャップを回転させることを可能とする器具に関するものである。
【背景技術】
【０００２】  ペットボトルなどを含む回転式の栓を開栓する際に力の弱いものや、手が濡れているなどで力の伝達が不完全となりうる場合、容易に開栓することが困難である。またプルトップ式の蓋を有している缶詰などの開缶時にプルトップに指をかけて引き上げることが困難である。
【先行技術文献】
特開２０１１−１８４１００
実案３１７１９２１
【考案の概要】
【考案が解決しようとする課題】
【０００３】  一般的に、高齢者や幼児を含む力の弱い人にとっては固く装着されているペットボトルのキャップの開栓や缶詰のプルトップを起こして開缶することは体力的に負担が大きく、手・指などに受傷する恐れもある。したがって小さな力でもペットボトルのキャップを回転することや、缶詰のプルトップを引き上げ開缶することができる器具によって前述の欠点を解決するものである。
【課題を解決するための手段】
【０００４】  本考案は人の掌中に収まる程度の大きさで、平板状のものの中央にペットボトルキャップの大きさに合わせた内径に複数個の突起を設け、端部にかぎ状の突起も有し、周囲にも大きい突起を設けて力の増幅伝達を可能として問題点を解決している。
【考案の効果】
【０００５】  上述のように、本考案のペットボトルキャップ回転具は小さな力でキャップを回転させ開栓すること、またプルトップのつまみを引き起こして開缶することが可能となり、一つの器具で複数の機能を持ち、経済性、安全性に役立つ。
【図面の簡単な説明】
【０００６】
【図１】  本考案のペットボトルキャップ回転具の、一実施例を示す全体図である。
【考案を実施するための形態】
【０００７】  固く装着されたペットボトルの栓を容易に回転させる目的、およびプルトップ式缶詰の引き金を容易に引き起こし開缶する目的で力を増幅させる器具を考案する。
【実施例】
【０００８】  以下、添付図面に従って一実施例を説明する。１はアルミニウム素材で形成された本体、２はペットボトルキャップと同等の大きさの穴、３はペットボトルキャップ回転のための複数の突起、４はプルトップのつまみを起こすためのフック、５はプルトップを引き上げ開缶するときの支点、６はペットボトルキャップ回転時のすべり止め突起。【０００９】  ペットボトルキャップ開栓時には、中央の穴２の中に回転させたいキャップを嵌合させてボトル本体を固定したうえで、本考案器具を回転させることにより、容易にペットボトルキャップを回転させることが可能である。【００１０】  プルトップ缶詰開缶時には、端部のフック４をプルトップのつまみの下に挿入して、支点５を利用して、本考案器具を引くことにより、容易にプルトップのつまみを引き上げ開缶することが可能である。
【符号の説明】
【００１１】  １  本体
２  ペットボトルキャップ開栓用穴
３  回転用の複数の突起
４  フック
５  支点
６  すべり止め用の突起
【図１】
0003219656.tif 000003
【手続補正書】
【提出日】平成30年10月19日(2018.10.19)
【手続補正１】
【補正対象書類名】実用新案登録請求の範囲
【補正対象項目名】請求項２
【補正方法】変更
【補正の内容】
【請求項２】
前記平板の端部にかぎ型の突起を持つことを特徴とする請求項１に記載のペットボトルキャップ回転具。
(57)【要約】      （修正有）【課題】緊急時でも簡易構造のため離脱も容易で、シンプルな機構で軽量、乗車時は立位操作のため乗車・離脱ができ、安全でかつ、キックとブレーキ操作だけで通常前後二輪車よりも簡単なコントロールとスピード走行が可能な平行二輪車を提供する。【解決手段】門型のガントリーロッド１と、ガントリーロッド１の左右両端に備えた車輪８，９と、車輪８，９の車軸６，７の回転中心よりも低位置に設けられたステップ４，５を備え、両脚を両ステップ４，５に置き、相互にキックして走行する。これは、前後に転倒しないように、どちらかの車輪を前後にスライドさせる事により、前後のバランスを安定させて、車軸より低重心位置にある両ステップに両脚を載せて、一方向回転車輪をキックする事により転倒の危険性が減少し快適な走行が可能となる。【選択図】図２
0003219558.tif 000002
【実用新案登録請求の範囲】
【請求項１】
門型のガントリーロッド（1）と、前記ガントリーロッド（1）の左右両端に
備えた車輪（8,9）と,前記車輪（8,9）の車軸(6,7)の回転中心よりも低位置に
設けられたステップ（4、5）を備え、両脚を前記両ステップ（4,5）に置き、
相互にキックして走行すること特徴とする平行二輪車。
【請求項２】
前記ガントリーロッド（1）は前記車軸（6,7）に対して前後の稼動する
ジョイント（10,11）部を設けており、前記ガントリーロッドの上部両端に
ブレーキ（2,3）設けたのを特徴とする請求項1記載の実用新案登録請求の
平行二輪車。   
【請求項３】
前記車輪（8,9）は後進しない一方向回転の車輪を設けたことを特徴とする、
請求項１又は請求項2記載の実用新案登録請求の平行二輪車。  
【考案の詳細な説明】
【技術分野】
【０００１】
本発明は起動時に左右の車輪を前後にスライドして前後のパランスを安定させ、
左右ブレーキの調整と左右のキックの強弱により、簡単にコントロールが可能な、
二輪車に関するものである（特許文献1）。
【背景技術】
【０００２】
通常、前後車輪を有する二輪車では、人間によって走行の不安定状態を克服して
いる。上記問題を克服するため、車輪を平行に設けて、ぶら下がり着座する事
により前後左右への不安定を解消しているものがある。（特許文献1）
【先行技術文献】
【特許文献】
【０００３】
【特許文献１】特開2005-289372
【考案の概要】
【考案が解決しようとする課題】
【０００４】
従来技術では以下の問題があった。ぶら下がりでの着座姿勢では、脱輪等の
緊急時に離脱が難しく、ペダルによる動力伝達が長いため、機構が複雑となって
重量大となっている。ぶら下がり着座姿勢では車椅子並みの動きに制限され搭乗者
の安全対策が不十分なため左右のコントロール及び急停車等に難しさがある。
本考案は緊急時でも簡易構造のため離脱も容易で、シンプルな機構で軽量、  
乗車時は立位操作のため乗車・離脱ができ、安全でかつ、キックとブレーキ
操作だけで通常前後二輪車よりも簡単なコントロールとスピード走行が可能な
平行二輪車を提供する。
【課題を解決するための手段】
【０００５】
請求項1の考案は、ガントリーロッド（1）の両下端に備えられた車輪（8,9）と、
前記車輪（8,9）のガントリロッド延長上で車軸の回転中心よりも低位置に設けられ
たステップ（4,5）を備え、両脚を前記両ステップに置き、相互にキックして走行す
るのを特徴とする平行二輪車を提供する
【考案の効果】
【０００６】
本考案の平行二輪車は、起動時に左右の車輪を前後にスライドさせた状態で、
全体のパランスを安定させ両車輪に設けられた両ステップに両脚を乗せて、
一方向車輪を互いにキックして走行させ、左右のブレーキの調整と左右のキックの
強弱により、簡単にコントロールが可能で且つ前後輪を有する二輪車並みのスピード
が可能である。
【図面の簡単な説明】
【０００７】
【図１】(a)本発明に係る乗車図  (b)走行時を示す図
【図２】図1（ｂ）の正面図
【考案を実施するための形態】
【０００８】
ガントリーロッド（1）の左右両端に備えられた車輪（8,9）と
前記車輪（8,9）のガントリーロッド延長上で車軸の回転中心よりも低位置に設けら
れたステップ（4,5）に両脚を両ステップに置き、相互にキックして走行するのを特徴
とする平行二輪車である。
【実施例】
【０００９】
本考案の平行二輪車はガントリーロッド1、で構成される。車輪8、9、ブレーキ2,3、
ステップ4,5、左右ジョイント10,11、左右ロッド12,13、図1においてガントリー
ロッド下部で平行に設けられた車輪を、前後にスライドさせる事により前後のバランス
を安定させ、ガントリロッド延長上の、両車輪に設けられた両ステップに両脚を乗せ
て、車輪を互いにキックして走行する。左右のブレーキの調整と左右のキックの強弱に
より、前後二輪車より簡単にコントロールが可能で、且つ前後二輪車並みのスピードが
可能である。
尚、一方向回転車輪は後進しない機構を採用して、両ステップのキックが十分機能し、
車輪のスライド幅もジョイント部で制限するように考案した。
【産業上の利用可能性】
【００１０】
本考案は起動時に前記左右の車輪を前後にスライドして前後のパランスを安定させ、
両車輪に設けられた前記両ステップに両脚を乗せて、車輪を互いにキックして走行する
ようになっている。左右のブレーキの調整と左右のキックの強弱により簡単な
コントロールが可能で、且つ自転車並みのスピードが可能で、車輪をスライドさせた
状態が高速走行には最適となり、脚駆動による移動用具やスポーツ器具としても十分
機能するものである。
【符号の説明】
【００１１】
1ガントリーロッド  ２,３左右ブレーキ      
4,5  左右ステップ  6.7左右車軸    8,9 左右車輪   
10,11左右ジョイント  12,13左右ロッド  Mは人間
【図１】
0003219558.tif 000003
【図２】
0003219558.tif 000004